(57)【要約】      （修正有）【課題】送受信用アンテナ内蔵の表示部側の全体を包むように装着して、電磁波を抑制する携帯電話機用電磁波抑制袋を提供する。【解決手段】導電性を有する繊維素材を撚り合わせた撚糸を用い、三本糸でトリコット編みで六角形状の升目を形成し、向こうが透けて見えるメッシュ状に編まれ、繊維同士の導電により電磁波の反射量、吸収量が大きくなる電磁波遮断ネットをネット地１に裁断し、ネット地１を挟持してバイヤス帯布２をジグザグ縫着し、バイヤス帯布２とネット地１とを二つ折りネット地１に折曲させ、二つ折りネット地１の側方と他辺の縁部とを表裏から挟持するように縫着用帯布をＬ字状に縫着し、二つ折りタイプの携帯電話機Ｋの送受信用アンテナ内蔵側を収容する袋状にした。【選択図】図１
0003156616.tif 000002
【実用新案登録請求の範囲】
【請求項１】
導電性を有する繊維素材を２本以上を一緒に撚り合わせた撚糸を用い、三本糸でトリコット編みで編んで六角形状の升目を形成することにより、編目の粗さが、向こうが透けて見える程度で、かつ１．５ｍｍ以下のメッシュ状に編まれ、編み目の交差部分で絡み合った繊維同士の導電により電磁波の反射量、吸収量が大きくなり、かつ編み目の縦横の繊維が互いの動きを拘束することで目の粗さが一定に維持されていて、軽量で、帯電防止、抗菌性、柔軟性及び通気性を有する電磁波遮断ネットにおいて、前記電磁波遮断ネットを矩形状のネット地に裁断し、該ネット地の一辺の縁部の任意巾を両側から挟持するようにしてバイヤス帯布をジグザグ縫着し、該バイヤス帯布の両側の自由端を重ねて前記ネット地と共に二つ折りネット地に折曲させ、該二つ折りネット地の側方と前記バイヤス帯布と平行する他辺の縁部とを表裏から挟持するように縫着用帯布をＬ字状に縫着し、二つ折りタイプの携帯電話機の送受信用アンテナ内蔵側を収容する袋状にしたことを特徴とする携帯電話機用電磁波抑制袋。
【考案の詳細な説明】
【技術分野】
【０００１】  本考案は、携帯電話機用電磁波抑制袋に関するものであり、更に詳細には、二つ折りタイプの携帯電話機は多数の操作ボタンを備えた操作部側と液晶画面を備えた表示部側に別れてヒンジを介装して折曲するようになっており、その表示部側には送受信用アンテナが内蔵されており特に送受信時には強い電磁波が発生するもので、送受信用アンテナ内蔵の表示部側の全体を包むように装着して、電磁波を抑制する携帯電話機用電磁波抑制袋に関するものである。
【背景技術】
【０００２】  携帯電話機の普及は目覚ましく、今や国民一人が一台所持する程に成っているが、周知のように携帯電話機からは電磁波が発生し、特に、送受信の時に強力な電磁波が発生することから、病院の医療器具が誤作動を起こしたり、航空機の計器にトラブルを起こしたり、心臓ペースメーカーに異状を発生させたりしている。【０００３】  その為に、先に開示された、例えば、袋内部に携帯型電話機を収容した状態で着送信および通話が可能であると共に漏洩電磁波量を抑制しうるカバー袋である。表裏のシートで構成されている袋の一部の領域を、電磁波シールド性を実質的に有しない透明な樹脂フィルムからなる非シールド性シート（１）で構成する。そして袋の残余の領域は、必要な電磁波シールド性を有するように導電性加工を施した樹脂フィルムからなるシールド性シート（２）で構成するもの（特許文献１参照）や、携帯電話のカバーにおいて、カバーは携帯電話の上半部と下半部とを覆う上半カバー体と下半カバー体とにより構成し、伸縮自在に連設することにより機能し、各カバー体は電磁波のシールド機能、抗菌機能を有する素材で形成すると共に、同カバー体の外表面にはスリップ防止用の加工を施してなる携帯電話用カバーとするもの（特許文献２参照）や、折り畳み式携帯電話機用ケース１０は、折り畳んだ携帯電話機をすっぽり収容できる程度の大きさの、一端部に開口Ｂを有する袋状に形成される。ケース１０は、基材１２と、基材１２の内表面全面に貼設等される電磁波シールドシート１４の２層を有する。電磁波シールドシート１４の材料は、導電性金属として銀を含むものか、または、銅およびニッケルを含むものを用いる。受信時、携帯電話機Ａをケース１０から取り出し、第二の筐体Ａ２を開いたうえで受信操作を行い、通話可能状態として、第二の筐体Ａ２をケース１０に収めた後、ケース１０から露出された第一の筐体Ａ１を耳に当てて通話する（特許文献３参照）等が開示されている。
【特許文献１】特開２００２−７７３４９号公報
【特許文献２】特開２００３−２３４８１４号公報
【特許文献３】実用新案登録第３１０８２７７号公報
【考案の開示】
【考案が解決しようとする課題】
【０００４】  然し乍ら、特許文献１においては、袋の一部の領域を、電磁波シールド性を有しない非シールド性シート（１）で構成し、その袋の残余の領域は電磁波シールド性を有するように導電性加工を施したシールド性シート（２）で構成したもので、全体の漏洩電磁波量は低減が可能のものであるが、電磁波シールド性を有しない非シールド性シート（１）の部分の漏洩電磁波は強い状態のままであり、更に、特許文献２においては、カバーは携帯電話の上半部と下半部とを覆う上半カバー体と下半カバー体とにより構成されており、突然の着信時や、送信時には操作ボタンや表示部が目視できず、いちいち取り外さないと使用できないものであり、更には、特許文献３においては、折り畳んだ携帯電話機をすっぽり収容できる程度の大きさの、一端部に開口Ｂを有する袋状に形成されるもので収納時には電磁波は遮蔽されるもので、収納状態では送受信が行われず、電源を切っている時と同じ状態であり、そして、使用する時は取り出して使用するもので、電磁波は放出し続けるもので、その効果は望めないものである。
【課題を解決するための手段】
【０００５】  本考案の携帯電話機用電磁波抑制袋は、前述課題に鑑み、鋭意研鑽の結果、導電性を有する繊維素材を２本以上を一緒に撚り合わせた撚糸を用い、三本糸でトリコット編みで編んで六角形状の升目を形成することにより、編目の粗さが、向こうが透けて見える程度で、かつ１．５ｍｍ以下のメッシュ状に編まれ、編み目の交差部分で絡み合った繊維同士の導電により電磁波の反射量、吸収量が大きくなり、かつ編み目の縦横の繊維が互いの動きを拘束することで目の粗さが一定に維持されていて、軽量で、帯電防止、抗菌性、柔軟性及び通気性を有する電磁波遮断ネットにおいて、電磁波遮断ネットを矩形状のネット地に裁断し、ネット地の一辺の縁部の任意巾を両側から挟持するようにしてバイヤス帯布をジグザグ縫着し、バイヤス帯布の両側の自由端を重ねて前記ネット地と共に二つ折りネット地に折曲させ、二つ折りネット地の側方とバイヤス帯布と平行する他辺の縁部とを表裏から挟持するように縫着用帯布をＬ字状に縫着し、二つ折りタイプの携帯電話機の送受信用アンテナ内蔵側を収容する袋状にしたものである。
【考案の効果】
【０００６】  本考案の携帯電話機用電磁波抑制袋は、導電性を有する繊維素材を２本以上を一緒に撚り合わせた撚糸を用い、三本糸でトリコット編みで編んで六角形状の升目を形成することにより、編目の粗さが、向こうが透けて見える程度で、かつ１．５ｍｍ以下のメッシュ状に編まれ、編み目の交差部分で絡み合った繊維同士の導電により電磁波の反射量、吸収量が大きくなり、かつ編み目の縦横の繊維が互いの動きを拘束することで目の粗さが一定に維持されていて、軽量で、帯電防止、抗菌性、柔軟性及び通気性を有する電磁波遮断ネットを裁断して、開口部を伸縮自在なバイヤス帯布で縫着したため、電磁波遮断ネットの伸縮性と合わせて、二つ折りタイプの携帯電話機で有れば各メーカーから発売されている各種の携帯電話機の殆どに装着することを可能とすると共に、電磁波を完全に遮蔽すると内蔵アンテナからの送受信ができなくなるが、当該電磁波遮断ネットの網み目のサイズを調整することにより、電磁波を完全に遮断するものでなく、抑制しているもので、携帯電話機の送受信の機能を損なうことなく、また、液晶画面の表示部は電磁波遮断ネットの編み目を透視して目視できることから、携帯電話機用電磁波抑制袋を装着した状態で使用でき、かつ、携帯電話機用電磁波抑制袋を装着した状態で携帯電話機を二つ折りして所持できるもので、優れた意匠性と実用性を有した極めて画期的な考案である。
【考案を実施するための最良の形態】
【０００７】  以下、本考案の携帯電話機用電磁波抑制袋の実施の形態を図面によって、具体的に説明すると、図１は本考案の携帯電話機用電磁波抑制袋の実施例の使用状態の正面図であり、図２は本考案の携帯電話機用電磁波抑制袋の実施例の電磁波遮断ネットの（Ａ）は平面図であり、（Ｂ）は電磁波遮断ネットの撚り糸の拡大平面図であり、図３は本考案の携帯電話機用電磁波抑制袋の展開状態の平面図であり、図４は本考案の携帯電話機用電磁波抑制袋の実施例の平面図である。【０００８】  本考案は、携帯電話機用電磁波抑制袋に関するものであり、更に詳細には、二つ折りタイプの携帯電話機は多数の操作ボタンを備えた操作部側と液晶画面を備えた表示部側に別れてヒンジを介装して折曲するようになっており、その表示部側には送受信用アンテナが内蔵されており特に送受信時には強い電磁波が発生するもので、送受信用アンテナ内蔵の表示部側の全体を包むように装着して、電磁波を抑制する携帯電話機用電磁波抑制袋に関するものであり、導電性を有する繊維素材を２本以上を一緒に撚り合わせた撚糸Ｎａを用い、三本糸でトリコット編みで編んで六角形状の升目を形成することにより、編目の粗さが、向こうが透けて見える程度で、かつ１．５ｍｍ以下のメッシュ状に編まれ、編み目の交差部分で絡み合った繊維同士の導電により電磁波の反射量、吸収量が大きくなり、かつ編み目の縦横の繊維が互いの動きを拘束することで目の粗さが一定に維持されていて、軽量で、帯電防止、抗菌性、柔軟性及び通気性を有する電磁波遮断ネットＮにおいて、前記電磁波遮断ネットＮを矩形状のネット地１に裁断し、該ネット地１の一辺の縁部の任意巾を両側から挟持するようにしてバイヤス帯布２をジグザグ縫着２ａし、該バイヤス帯布２の両側の自由端を重ねて前記ネット地１と共に二つ折りネット地１に折曲させ、該二つ折りネット地１の側方と前記バイヤス帯布２と平行する他辺の縁部とを表裏から挟持するように縫着用帯布３をＬ字状に縫着し、二つ折りタイプの携帯電話機Ｋの送受信用アンテナ内蔵側を収容する袋状にしたことを特徴とするものである。
【実施例】
【０００９】  即ち、本考案の携帯電話機用電磁波抑制袋は、導電性を有する繊維素材を２本以上を一緒に撚り合わせた撚糸Ｎａを用い、三本糸でトリコット編みで編んで六角形状の升目を形成することにより、編目の粗さが、向こうが透けて見える程度で、かつ１．５ｍｍ以下のメッシュ状に編まれ、編み目の交差部分で絡み合った繊維同士の導電により電磁波の反射量、吸収量が大きくなり、かつ編み目の縦横の繊維が互いの動きを拘束することで目の粗さが一定に維持されていて、軽量で、帯電防止、抗菌性、柔軟性及び通気性を有する電磁波遮断ネットＮにおいて実施するもので、特許第３９３２２０５号で登録をされている松井英樹氏の発明によるものである。【００１０】  更に、前記電磁波遮断ネットＮに、導電性を有する糸がナイロン糸に銀メッキを施したものが好適に使用できるものである。【００１１】  つまり、前記電磁波遮断ネットＮは、軽量で、帯電防止、抗菌性、柔軟性及び通気性を有するもので、その編み目のサイズにより電磁波の反射量、吸収量を調整できるものである。【００１２】  そして、矩形状のネット地１は前記電磁波遮断ネットＮを裁断したもので、二つ折りタイプの携帯電話機Ｋの送受信用アンテナ内蔵側、つまり、液晶画面の表示部側を内装するサイズに合わせて縦方向が８０〜９５ｍｍ程度の矩形状に切断するものである。【００１３】  次に、バイヤス帯布２は、周知のように伸縮性を持たせた帯布で、ネット地１の伸縮性に合わせているものであり、図３に図示するように、ネット地１の上方の一辺の縁部の任意巾を両側から挟持するようにして山と谷が連続するようにジグザグ縫着２ａしているもので、ジグザグ縫着２ａすることにより、縫着部分にも伸縮性を持たせているものである。【００１４】  次いで、二つ折りネット地１は、ネット地１を縦方向の中央の折線１ａにより折曲させて、逢着２ａしたバイヤス帯布２の両側の自由端を重ねることにより、ネット地１も折曲するものである。【００１５】  更に、縫着用帯布３は、二つ折りネット地１の側方と、隣り合うバイヤス帯布２と平行する他辺、つまり、下辺の縁部とを表裏から挟持するようにして縫着３ａするもので、図４に図示するように、二つ折りネット地１の開放辺をＬ字状に逢着３ａするものである。【００１６】  つまり、バイヤス帯布２と、二つ折りネット地１の開放辺とを縫着用帯布３で逢着３ａしたことにより、バイヤス帯布２を開口とする伸縮可能な袋状に形成され、二つ折りタイプの携帯電話機Ｋの送受信用アンテナ内蔵側を収容することで、送受信用アンテナから発生する電磁波を大幅に抑制するものである。
【産業上の利用可能性】
【００１７】  本考案の携帯電話機用電磁波抑制袋は、導電性を有する繊維素材を２本以上を一緒に撚り合わせた撚糸を用い、三本糸でトリコット編みで編んで六角形状の升目を形成することにより、編目の粗さが、向こうが透けて見える程度で、かつ１．５ｍｍ以下のメッシュ状に編まれ、編み目の交差部分で絡み合った繊維同士の導電により電磁波の反射量、吸収量が大きくなり、かつ編み目の縦横の繊維が互いの動きを拘束することで目の粗さが一定に維持されていて、軽量で、帯電防止、抗菌性、柔軟性及び通気性を有する電磁波遮断ネットを裁断して、開口部を伸縮自在なバイヤス帯布で縫着したため、電磁波遮断ネットの伸縮性と合わせて、二つ折りタイプの携帯電話機で有れば各メーカーから発売されている各種の携帯電話機の殆どに装着することを可能とすると共に、電磁波を完全に遮蔽すると内蔵アンテナからの送受信ができなくなるが、当該電磁波遮断ネットの網み目のサイズを調整することにより、電磁波を完全に遮断するものでなく、抑制しているもので、携帯電話機の送受信の機能を損なうことなく、また、液晶画面の表示部は電磁波遮断ネットの編み目を透視して目視できることから、携帯電話機用電磁波抑制袋を装着した状態で使用でき、かつ、携帯電話機用電磁波抑制袋を装着した状態で携帯電話機を二つ折りして所持できる携帯電話機用電磁波抑制袋を提供するものである。
【図面の簡単な説明】
【００１８】
【図１】  図１は本考案の携帯電話機用電磁波抑制袋の実施例の使用状態の正面図である。
【図２】  図２は本考案の携帯電話機用電磁波抑制袋の実施例の電磁波遮断ネットの（Ａ）は平面図であり、（Ｂ）は電磁波遮断ネットの撚り糸の拡大平面図である。
【図３】  図３は本考案の携帯電話機用電磁波抑制袋の展開状態の平面図である。
【図４】  図４は本考案の携帯電話機用電磁波抑制袋の実施例の平面図である。
【符号の説明】
【００１９】  Ｎ      電磁波遮断ネット
Ｎａ    撚糸
１      ネット地
１ａ    折線
２      バイヤス帯布
２ａ    ジグザグ縫着
３      縫着用帯布
３ａ    縫着
【図１】
0003156616.tif 000003
【図２】
0003156616.tif 000004
【図３】
0003156616.tif 000005
【図４】
0003156616.tif 000006